(57)【要約】【課題】例えば保護膜が劣化したＦＲＰ製標識板、鉄製の看板等にスプレー法で簡単に塗布可能とし、また、補修後のカビの発生を抑制して当該ＦＲＰ製標識板、鉄製の看板等の有効使用期間の延長を図る補修用塗料を得る。【解決手段】補修用塗料は、アクリル系の樹脂塗料からなる主剤と、少なくとも、消泡剤、レベリング剤およびカビ防止剤を含む添加剤と、ウレタン樹脂系の溶剤と、イソシアネート硬化剤とを含有する。アクリル系の樹脂塗料からなる主剤をウレタン樹脂系の溶剤で常温（５〜４０℃）で使用可能な濃度にでき、スプレー法で簡単に塗布できる。カビ防止剤を添加剤として含むので、補修後のカビの発生を抑制できる。【特許請求の範囲】
【請求項１】
アクリル系の樹脂塗料からなる主剤と、
少なくとも、消泡剤、レベリング剤およびカビ防止剤を含む添加剤と、
ウレタン樹脂系の溶剤と、
イソシアネート樹脂系の硬化剤とを含有する
ことを特徴とする補修用塗料。
【請求項２】
上記添加剤は紫外線吸収剤をさらに含む
ことを特徴とする請求項１に記載の補修用塗料。
【発明の詳細な説明】
【技術分野】
【０００１】
この発明は、例えば繊維強化プラスチック（ＦＲＰ：fiber-reinforced plastics）製標識板、表面に保護膜がコーティングされている鉄製の看板等を補修する際に使用して好適な補修用塗料に関する。
【０００２】
詳しくは、この発明は、アクリル系の樹脂塗料からなる主剤と、少なくとも、消泡剤、レベリング剤およびカビ防止剤を含む添加剤と、ウレタン系の溶剤と、イソシアネート樹脂系の硬化剤とを含有するものであって、例えば保護膜が劣化したＦＲＰ製標識板、鉄製の看板等にスプレー法で塗布して簡単に補修でき、また補修後のカビの発生を抑制し、当該ＦＲＰ製標識板、鉄製の看板等の有効使用期間を延長できるようにした補修用塗料に係るものである。
【背景技術】
【０００３】
鉄塔に取り付けられている、図１Ａに示すような立入り禁止標識板や、図１Ｂに示すような昇塔禁止標識板などは、安全施設設置基準で設置が義務づけられている。この種の標識板として、ＦＲＰ製標識板が知られている（例えば、特許文献１参照）。
【０００４】
図２Ａ，Ｂは、ＦＲＰ製標識板１の構成を示している。図２ＡはＦＲＰ製標識板１の一部を切断して分解した斜視図であり、図２ＢはＦＲＰ製標識板１の要部の断面図である。
【０００５】
このＦＲＰ製標識板１は、紙体６、ＦＲＰシート７，７、保護膜８および可撓性保護膜９で構成されている。紙体６は、例えば四角形の白色紙からなり、その表面には標識を構成する文字、図形５が印刷されている。ＦＲＰシート７は、例えばガラス繊維で強化したプラスチックからなっている。保護膜８は、例えば不飽和二塩基酸として無水マレイン酸を、二価アルコールとしてエチレングリコールを、ビニルモノマーとしてスチレンを用いて構成された不飽和ポリエステル樹脂からなっている。可撓性保護膜９は、例えばフッ素樹脂からなっている。
【０００６】
この図２Ａ，Ｂに示すＦＲＰ製標識板１は以下の手順で製造される。まず、標識を構成する文字、図形５が印刷された紙体６の表裏両面にＦＲＰシート７，７を密着させて積層物を形成する。次に、この積層物を成形型内に流し込んだ不飽和ポリエステル樹脂中に浸漬する。次に、この不飽和ポリエステル樹脂を、この紙体６およびＦＲＰシート７，７からなる積層物を包み込んだ状態で長方形板状に固め、当該積層物の全体を覆う保護膜８を形成する。最後に、紙体６の文字、図形５の印刷面側に対応する保護膜８上に、フッ素樹脂からなる速乾性の透明塗料を塗布して可撓性保護膜９を形成する。
【０００７】
【特許文献１】実用新案登録第３０８６２５７号公報
【発明の開示】
【発明が解決しようとする課題】
【０００８】
上述したようなＦＲＰ製標識板１は、約５〜８年で保護膜８および可撓性保護膜９が劣化し、ＦＲＰシート７，７のガラス繊維が浮き出てきて、文字、図形５が見えにくくなり、標識の機能を果たさなくなる。
【０００９】
ここで、保護膜８および可撓性保護膜９の劣化を補修して、ＦＲＰ製標識板１の寿命を長くできれば、ＦＲＰ製標識板１の製造費、およびその交換のための人件費等を節約でき、ユーザにとって都合のよいものとなる。
【００１０】
また例えば、表面に保護膜がコーティングされている鉄製の看板等でも、上述したＦＲＰ製標識板と同様に、保護膜が劣化すると、カビなどの発生により文字、図形が見えにくくなり、看板の機能を果たさなくなる。その場合も、保護膜の劣化を補修して、看板の寿命を長くできれば、看板の製造費、およびその交換のための人件費等を節約でき、ユーザにとって都合のよいものとなる。
【００１１】
この発明の目的は、例えば保護膜が劣化したＦＲＰ製標識板、鉄製の看板等にスプレー法で塗布して当該ＦＲＰ製標識板または鉄製の看板等を簡単に補修でき、また補修後のカビの発生を抑制し、当該ＦＲＰ製標識板、鉄製の看板等の有効使用期間を延長できるようにした補修用塗料を提供することを目的とする。
【課題を解決するための手段】
【００１２】
この発明に係る補修用塗料は、アクリル系の樹脂塗料からなる主剤と、少なくとも、消泡剤、レベリング剤およびカビ防止剤を含む添加剤と、ウレタン樹脂系の溶剤と、イソシアネート樹脂系の硬化剤とを含有するものである。
【００１３】
この補修用塗料では、アクリル系の樹脂塗料からなる主剤をウレタン樹脂系の溶剤で常温（５〜４０℃）で使用可能な濃度にできる。そのため、例えば保護膜が劣化したＦＲＰ製標識板に、この補修用塗料を、スプレー缶または霧吹きを用いてスプレー法で塗布することで、このＦＲＰ製標識板、鉄製の看板等を簡単に補修できる。
【００１４】
また、この補修用塗料は、添加剤としてカビ防止剤を含んでいる。そのため、例えばＦＲＰ製標識板、鉄製の看板等に塗布して補修した後に、カビの発生を抑制でき、当該ＦＲＰ製標識板、鉄製の看板等の有効使用期間を延長できる。
【００１５】
なお、添加剤に紫外線吸収剤をさらに含めるようにしてもよい。このように添加剤に紫外線吸収剤を含めることで、例えばＦＲＰ製標識板を構成する繊維強化プラスチックスの紫外線による光酸化劣化を防止できる。
【発明の効果】
【００１６】
この発明によれば、アクリル系の樹脂塗料からなる主剤と、少なくとも、消泡剤、レベリング剤およびカビ防止剤を含む添加剤と、ウレタン系の溶剤と、イソシアネート樹脂系の硬化剤とを含有するものであり、例えば保護膜が劣化したＦＲＰ製標識板、鉄製の看板等にスプレー法で塗布して簡単に補修でき、また補修後のカビの発生を抑制し、当該ＦＲＰ製標識板、鉄製の看板等の有効使用期間を延長できる。
【発明を実施するための最良の形態】
【００１７】
無黄変型ポリウレタン樹脂系エナメル塗料に、カビ防止剤および紫外線吸収剤を添加して、補修用塗料を得る。
【００１８】
無黄変型ポリウレタン樹脂系エナメル塗料として、例えば中電工業製のパイネ＃８０４０（商品名）を使用できる。このパイネ＃８０４０の組成は、主剤としてのアクリルポリオール樹脂ワニスが７５．６重量％、シリコン系消泡剤およびレベリング剤を含む添加剤が０．２重量％、溶剤としてのポリウレタン樹脂系溶剤が４．２重量％、そして硬化剤としてのイソシアネート樹脂ワニスが２０．０重量％である。ここで、ポリウレタン樹脂系溶剤として中電工業製のパイネ＃８０００（商品名）が用いられている。
【００１９】
カビ防止剤として、例えば日本エンバイロケミカル製のモニサイドＳ（商品名）を使用できる。このモニサイドＳは、ハロゲン化硫黄化合物および有機窒素系化合物の混合品である。このカビ防止剤の混合比率は、カビ発生の抑制効果を上げるために、パイネ＃８０４０の１００重量部に対して１重量％以上、例えば１〜３重量％とされる。
【００２０】
紫外線吸収剤として、例えばチバ・ガイギー製のチヌビン９００（商品名）を使用できる。この紫外線吸収剤の混合比率は、パイネ＃８０４０の１００重量部に対して例えば１重量％以内とされる。
【００２１】
上述した補修用塗料は、アクリル系の樹脂塗料であるアクリルポリオール樹脂ワニスの濃度をポリウレタン樹脂系溶剤で調整し、常温（５〜４０℃）で使用可能な濃度にしている。そのため、例えば保護膜が劣化したＦＲＰ製標識板（図２Ａ，Ｂ参照）、あるいは表面保護膜が劣化した鉄製の看板等に、この補修用塗料を、スプレー缶または霧吹きを用いてスプレー法で塗布し、このＦＲＰ製標識板あるいは鉄製の看板等を簡単に補修できる。このスプレーによる塗布方法によれば、刷毛塗りのように作業者の熟練度を必要とせず簡単に施工でき効率的であると共に、山間部での作業では作業者の運搬疲労度などを軽減できる。
【００２２】
また、補修用塗料で補修されたＦＲＰ製標識板は、ガラス繊維が浮き出てきて、文字、図形が見えにくくなるまでの期間、つまり有効使用期間が延長される。同様に、補修用塗料で補修された鉄製の看板等も、文字、図形が見えにくくなるまでの期間、つまり有効使用期間が延長される。これにより、ＦＲＰ製標識板、鉄製の看板等の製造費、およびその交換のための人件費等を節約できる。また、この補修用塗料に添加剤としてカビ防剤が含まれているので、カビの発生を抑制でき、カビで標識の文字、図形が見えにくくなることを防止でき、ＦＲＰ製標識板、鉄製の看板等の有効使用期間をさらに延長できる。
【００２３】
また、この補修用塗料に添加剤として紫外線吸収剤が含まれているので、例えばＦＲＰ製標識板を構成する繊維強化プラスチックスの紫外線による光酸化劣化を防止でき、これによってもＦＲＰ製標識板の有効使用期間の延長効果を得ることができる。
【００２４】
なお、上述実施の形態においては、無黄変型ポリウレタン樹脂系エナメル塗料（パイネ＃８０４０）を用いたものであるが、これと同様の組成を持つものであればその他のポリウレタン樹脂系エナメル塗料を使用し、それにカビ防止剤、紫外線吸収剤を添加することで同様の補修用塗料を得ることができる。
【００２５】
また、上述したカビ防止剤、紫外線吸収剤の混合比率は一例であり、これに限定されるものではない。この混合比率は、ポリウレタン樹脂系エナメル塗料の種類、あるいはカビ防止剤、紫外線吸収剤の種類によっても変動する。
【産業上の利用可能性】
【００２６】
この発明は、スプレー法で簡単に塗布でき、また補修後のカビの発生を抑制できるものであり、例えば山間部の鉄塔などに取り付けられた、保護膜の劣化したＦＲＰ製標識板、鉄製の看板等の補修を行う際に使用できる。
【図面の簡単な説明】
【００２７】
【図１】鉄塔に取り付けられる標識の一例を示す図である。
【図２】ＦＲＰ製標識板の構造を示す図である。
【符号の説明】
【００２８】
１・・・ＦＲＰ製標識板、５・・・文字、図形、６・・・紙体、７・・・ＦＲＰシート、８・・・保護膜、９・・・可撓性保護膜
【図１】
2006233010.tif 000002
【図２】
2006233010.tif 000003